(57)【要約】【課題】永久磁石を使用しない構成で製造コストを低減しながら操作性を向上できるドアキャッチャーを提供する。【解決手段】扉１１に設ける扉側部材Ａと、床面Ｆに設ける床側部材Ｂとからなる。扉側部材Ａは、扉１１の開方向Ｃ１側面に取り付ける基体２と、基体２により昇降可能に支持され、基体２の下面から出没する昇降体３とを備える。昇降体３は、その下端部が下方へ行くにしたがって縮径する形状を成し、昇降体３が上昇すると、弾性体４を変形させて下方への弾性付勢力が生じる。床側部材Ｂは、扉１１を開ける際に、扉１１とともに移動する昇降体３が、前記弾性付勢力に抗して上昇した後に下降して乗り越える乗越え凸部７と、昇降体３が乗越え凸部７を乗り越えた位置で、基体２の開方向Ｃ１への移動を規制するように基体２を当止する基体当止部ＳＴ１とを備える。【選択図】図９
2020090873.tif 000002
【特許請求の範囲】
【請求項１】
開き戸の扉の全開時における壁への衝突を防止するドアキャッチャーであって、
前記扉に設ける扉側部材と、床面に設ける床側部材とからなり、
前記扉側部材は、
前記扉の開方向側面に取り付ける基体と、
前記基体により昇降可能に支持され、前記基体の下面から出没する昇降体とを備え、
前記昇降体は、その下端部が下方へ行くにしたがって縮径する形状を成し、
前記昇降体が上昇すると、弾性体を変形させて下方への弾性付勢力が生じ、
前記床側部材は、
前記扉を開ける際に、前記扉とともに移動する前記昇降体が、前記弾性付勢力に抗して上昇した後に下降して乗り越える乗越え凸部と、
前記昇降体が前記乗越え凸部を乗り越えた位置で、前記基体の開方向への移動を規制するように前記基体を当止する基体当止部とを備えることを特徴とする、
ドアキャッチャー。
【請求項２】
前記昇降体の下端部の形状は、半球状、逆円錐台状、又は逆多角錐台状である、
請求項１に記載のドアキャッチャー。
【請求項３】
前記乗越え凸部の閉方向側部分に、前記扉を開ける際に前記扉とともに移動する前記昇降体を、前記弾性付勢力に抗して徐々に上昇させる傾斜面を設けてなる、
請求項１又は２に記載のドアキャッチャー。
【請求項４】
前記乗越え凸部の開方向側部分に、前記扉を閉じる際に前記扉とともに移動する前記昇降体を、前記弾性付勢力に抗して徐々に上昇させる傾斜面を設けてなる、
請求項１〜３の何れか１項に記載のドアキャッチャー。
【請求項５】
前記昇降体が前記乗越え凸部を乗り越えた位置で、前記扉の閉方向への移動を規制するロック手段を備え、
前記ロック手段を、
前記基体により昇降可能に支持され、前記基体の下面から出没するロック片と、
前記基体の下面から突出した前記ロック片の閉方向への移動を規制するように前記ロック片を当止する、前記床側部材に備えたロック片当止部とにより構成し、
前記床側部材の前記乗越え凸部の、開閉方向に対する両側方に設けた一対の当止体の閉方向側端面を前記基体当止部とし、前記当止体の開方向側端面を前記ロック片当止部としてなる、
請求項１〜４の何れか１項に記載のドアキャッチャー。
【請求項６】
前記ロック手段は、前記基体により昇降可能に支持され、前記ロック片に連動して昇降する、前記基体を被うカバー体を備える、
請求項５に記載のドアキャッチャー。
【請求項７】
請求項１〜６の何れか１項に記載のドアキャッチャーを備えた開き戸。
【発明の詳細な説明】
【技術分野】
【０００１】
本発明は、開き戸の扉の全開時における壁への衝突を防止するドアキャッチャーに関する。
【背景技術】
【０００２】
開き戸の扉の全開時における壁への衝突を防止するドアキャッチャーとして、前記扉に設ける扉側部材と、床面に設ける床側部材とからなるものがある（例えば、特許文献１ないし３参照）。扉を開く操作に対応して、特許文献１及び２は、扉側部材のマグネットにより床側部材の強磁性体である金属製フラップを吸着して持ち上げ、特許文献３は、扉側部材の上下に変位するストライクピンを、床側部材の凹部に嵌り込ませる。
【０００３】
具体的に説明すると、特許文献１のドアキャッチャーにおいて、扉側部材は、ケース２、磁石６５，６６、押圧軸５１及び弾性部材５２からなる解除手段５０、並びにカバー部材７０からなり、床側部材（ストッパー装置８０）は、基台８１、及び強磁性体である金属製フラップ（ストッパー部材８２）からなる。
【０００４】
扉Ｄを開いてケース２がストッパー装置８０の上方に位置すると、磁石６５，６６によりストッパー部材８２が引き上げられ、ストッパー部材８２の先端８８がケース２の下面８に当接する。扉Ｄを開こうとすると、ストッパー部材８２の先端８８がケース２の凸部３５に係止するため、扉Ｄを開くことができず、扉Ｄを閉じようとすると、ストッパー部材８２の係止縁部８５が係止突起３６の係止凹部３８に係止するため、扉Ｄを閉じることができない。
【０００５】
扉Ｄを閉じる際には、カバー部材７０を押し下げる操作を行う。それにより、押圧軸５１が弾性部材５２の弾性に抗して下方に移動し、押圧軸５１の下部がストッパー部材８２の先端８８を下方に移動させてストッパー部材８２を押し下げるので、扉Ｄを閉じることができる。
【０００６】
また、特許文献２のドアキャッチャーにおいて、扉側部材（ストッパー本体２）は、ホルダー４、磁石５、マグネットホルダー６、ロックピン７及びカバー８からなり、床側部材は、ベース２８及びベースカバー３０、並びに強磁性体である金属製フラップ３からなる。
【０００７】
フラップ３と接触するマグネットホルダー６を回動可能かつ上下動可能に構成している。それにより、マグネットホルダー６の吸着面１５がフラップ３に接触する際に、その接触位置及び姿勢が自動調節されて面接触が行われやすくなり、扉Ｄを停止させる力が強くなる。また、磁石５そのものをフラップ３に接触させず、かつ磁石５そのものを直接的に軸支しないことから、磁石５に荷重や衝撃が加わらないので磁石５が破損しにくい。
【０００８】
扉Ｄを開いてストッパー本体２が床側部材に近づくと、磁石５の作用によってフラップ３を吸着し、フラップ３の先端をストッパー本体２の当たり面３１に当接させることで扉Ｄの回動を停止させる。また、磁石５による吸着力を上回る力で扉Ｄを閉じ方向に回動させると、磁石５とフラップ３の吸着が解除され扉Ｄを閉じることができる。
【０００９】
扉Ｄを開いて、磁石５の作用でフラップ３を吸着し、フラップ３の先端をストッパー本体２の当たり面３１に当接させた状態で、カバー８を把持して押し下げてロックピン７を下降させると、ロックピン７の先端部２５がフラップ３の孔２４内に挿通され、扉Ｄを開閉方向へ移動できないロック状態となる。このロック状態を解除するには、ロックピン７の上下動に連動するカバー８を把持して引き上げる。
【００１０】
さらに、特許文献３のドアキャッチャーにおいて、扉側部材（ストライク２０）は、ケース２０、及びケース２０内において弾発力により下方に付勢されたストライクピン２１からなり、床側部材１０は、側面が内側に上り勾配となる傾斜面１３を有するとともに、ストライクピン２１が嵌まり込む凹部１１を中央に有し、さらに凹部１１の内周面に埋設した緩衝部材１２を有する。
【００１１】
ドア３０を開く操作に伴い、ストライク２０は床側部材１０に近づき、ストライクピン２１は、床側部材１０の傾斜面１３に突き当たった後、傾斜面１３に沿って上昇し、凹部１１に嵌り込み、ドア３０の開放状態が維持される。
【００１２】
ドア３０を閉じる際には、係止片２７を上方へ押し上げる操作（特許文献３の図１０及び図１１）、又は天板２４を下方へ押す操作（特許文献３の図１２）により、ストライクピン２１を上昇させて凹部１１から取り出した状態とし、ドア３０を閉じる操作を行う。
【先行技術文献】
【特許文献】
【００１３】
【特許文献１】特許第３５８６２６５号公報
【特許文献２】特許第５２７１００４号公報
【特許文献３】特許第４６６６５３４号公報
【発明の概要】
【発明が解決しようとする課題】
【００１４】
特許文献１及び２のドアキャッチャーは、永久磁石が必須の構成部品であり、永久磁石として比較的低価格であるフェライト磁石を用いたとしてもその分の製造コストが嵩む。
その上、永久磁石は、粉体を焼結して成形した焼結磁石が一般的であり、衝撃に弱く欠けやすいため磁石を被う部材を設ける等、磁石を保護する工夫が必要になる。
その上さらに、永久磁石又はそのホルダーと金属製フラップとの接触音が大きい。
その上、開き戸の扉を開く速度が速いと、永久磁石の磁気吸引力によるフラップの持上げ動作が間に合わない場合があるので、ドアキャッチャーの確実性が低下する。
【００１５】
その上さらに、特許文献１のドアキャッチャーは、扉Ｄを閉じる際には、扉側部材のカバー部材７０を押し下げる操作を行い、それにより下方へ移動する押圧軸５１が床側部材（ストッパー装置８０）のフラップ（ストッパー部材８２）を押し下げた後に、扉Ｄを閉じる操作を行うことから、２アクションが必要になるので、操作性が悪くなっている。
一方、特許文献２のドアキャッチャーは、扉Ｄを閉じる際には、磁石５による吸着力を上回る力で扉Ｄを閉じ方向に回動させればよく、１アクションで扉Ｄを閉じることができるので、操作性は良いと言える。
しかしながら、特許文献２のドアキャッチャーは、フラップ３と接触するマグネットホルダー６を回動可能かつ上下動可能に構成していることから、部品点数が多くなるので、製造コストが一層増大している。
【００１６】
他方、特許文献３のドアキャッチャーは、永久磁石を使用しないため、その分の製造コストを低減できる。
しかしながら、ドア３０を閉じる際には、係止片２７を上方へ押し上げる操作、又は天板２４を下方へ押す操作を行い、それによりストライクピン２１を上昇させて凹部１１から取り出した後に、ドア３０を閉じる操作を行うことから、２アクションが必要になるので、操作性が悪くなっている。
【００１７】
そこで本発明が前述の状況に鑑み、解決しようとする課題は、永久磁石を使用しない構成で製造コストを低減しながら操作性を向上できるドアキャッチャーを提供することである。
【課題を解決するための手段】
【００１８】
本発明に係るドアキャッチャーは、前記課題解決のために、開き戸の扉の全開時における壁への衝突を防止するドアキャッチャーであって、
前記扉に設ける扉側部材と、床面に設ける床側部材とからなり、
前記扉側部材は、
前記扉の開方向側面に取り付ける基体と、
前記基体により昇降可能に支持され、前記基体の下面から出没する昇降体とを備え、
前記昇降体は、その下端部が下方へ行くにしたがって縮径する形状を成し、
前記昇降体が上昇すると、弾性体を変形させて下方への弾性付勢力が生じ、
前記床側部材は、
前記扉を開ける際に、前記扉とともに移動する前記昇降体が、前記弾性付勢力に抗して上昇した後に下降して乗り越える乗越え凸部と、
前記昇降体が前記乗越え凸部を乗り越えた位置で、前記基体の開方向への移動を規制するように前記基体を当止する基体当止部とを備えることを特徴とする（請求項１）。
ここで、前記昇降体の下端部の形状は、半球状、逆円錐台状、又は逆多角錐台状であるのが好ましい実施態様である（請求項２）。
【００１９】
このような構成によれば、開き戸の扉は、扉側部材の昇降体が床側部材の乗越え凸部を乗り越えた位置で、扉側部材の基体が、床側部材の基体当止部により当止されるので、開方向への移動が規制される。よって、磁力を介さない物理的接触により扉の全開時における壁への衝突を確実に防止できる。
扉側部材の昇降体が床側部材の乗越え凸部を乗り越えた位置において、扉を閉方向へ移動させるためには、扉側部材の昇降体が床側部材の乗越え凸部を乗り越える必要がある。扉側部材の昇降体が床側部材の乗越え凸部を乗り越えるためには、弾性体を変形させて扉側部材の昇降体を上昇させる必要があり、それにより下方への弾性付勢力が作用するため、開き戸の扉を全開した状態を安定保持できる。
【００２０】
扉を閉じる際には、扉側部材の昇降体の下端部が下方へ行くにしたがって縮径する形状であることから、扉を閉じる操作を行うと、扉側部材の昇降体は、弾性体の弾性付勢力に抗して上昇した後に下降して床側部材の乗越え凸部を乗り越えることができる。すなわち、一定以上の操作力で扉を操作することにより、１アクションで扉を閉じることができる。
また、ドアキャッチャーの扉側部材は、基体、昇降体及び弾性体を備えればよく、ドアキャッチャーの床側部材は、乗越え凸部及び基体当止部を備えればよい。よって、部品点数が少ない簡単な構成であり、永久磁石を使用していない。
以上より、永久磁石を備えたドアキャッチャーにおける永久磁石が金属製フラップを吸着する際のような接触音が無く、部品点数が少ない簡単な構成でドアキャッチャーを構成して製造コストを低減しながら、操作性を向上できる。
【００２１】
また、前記乗越え凸部の閉方向側部分に、前記扉を開ける際に前記扉とともに移動する前記昇降体を、前記弾性付勢力に抗して徐々に上昇させる傾斜面を設けてなるのがより好ましい実施態様である（請求項３）。
【００２２】
このような構成によれば、開き戸の扉を開ける際に、扉側部材の昇降体の下端部が、床側部材の乗越え凸部の前記傾斜面に沿って徐々に上昇することから、弾性体の弾性付勢力も徐々に大きくなる。それにより、扉を開ける操作に伴って、扉側部材の昇降体が弾性体の弾性付勢力に抗して上昇した後に下降して床側部材の乗越え凸部を乗り越える動作がスムーズになるので、扉を開ける操作をスムーズに行うことができる。
【００２３】
さらに、前記乗越え凸部の開方向側部分に、前記扉を閉じる際に前記扉とともに移動する前記昇降体を、前記弾性付勢力に抗して徐々に上昇させる傾斜面を設けてなるのが一層好ましい実施態様である（請求項４）。
【００２４】
このような構成によれば、開き戸の扉を閉じる際に、扉側部材の昇降体の下端部が、床側部材の乗越え凸部の前記傾斜面に沿って徐々に上昇することから、弾性体の弾性付勢力も徐々に大きくなる。それにより、扉を閉じる操作に伴って、扉側部材の昇降体が弾性体の弾性付勢力に抗して上昇した後に下降して床側部材の乗越え凸部を乗り越える動作がスムーズになるので、扉を閉じる操作をスムーズに行うことができる。
【００２５】
さらにまた、前記昇降体が前記乗越え凸部を乗り越えた位置で、前記扉の閉方向への移動を規制するロック手段を備え、
前記ロック手段を、
前記基体により昇降可能に支持され、前記基体の下面から出没するロック片と、
前記基体の下面から突出した前記ロック片の閉方向への移動を規制するように前記ロック片を当止する、前記床側部材に備えたロック片当止部とにより構成し、
前記床側部材の前記乗越え凸部の、開閉方向に対する両側方に設けた一対の当止体の閉方向側端面を前記基体当止部とし、前記当止体の開方向側端面を前記ロック片当止部としてなるのがより一層好ましい実施態様である（請求項５）。
【００２６】
このような構成によれば、扉側部材の昇降体が床側部材の乗越え凸部を乗り越えた位置で、扉側部材の基体が床側部材の基体当止部に当止されて開方向への移動が規制されている扉に対し、さらにロック手段により扉の閉方向への移動を規制する。それにより、子供や老人等による不用意な操作があったり、不意に外力が掛かっても、開き戸の扉を全開した所定位置で確実に固定できる。
その上、扉側部材の基体により昇降可能に支持され、前記基体の下端部から出没するロック片と、前記基体の下端部から突出した前記ロック片の閉方向への移動を規制するロック片当止部とによりロック手段を構成するので、ロック手段の構成が簡単になる。
その上さらに、同一の当止体に設けた閉方向側端面及び開方向側端面を、基体当止部及びロック片当止部としていることから、ロック手段を設ける構成がより簡単になるので、ロック手段を備えたドアキャッチャーの製造コストを低減できる。
【００２７】
前記ロック手段は、前記基体により昇降可能に支持され、前記ロック片に連動して昇降する、前記基体を被うカバー体を備えるのがさらに一層好ましい実施態様である（請求項６）。
【００２８】
このような構成によれば、カバー体を押し下げることによりロック手段が作動状態になり、カバー体を引き上げることにより前記作動状態を解除できるので、ロック手段の操作性を向上できる。
【００２９】
本発明の係る開き戸は、前記ドアキャッチャーを備えたものである。
【発明の効果】
【００３０】
本発明のドアキャッチャー、及び開き戸によれば、主に以下に示すような作用効果を奏する。
【００３１】
（１）開き戸の扉は、扉側部材の昇降体が床側部材の乗越え凸部を乗り越えた位置で、扉側部材の基体が、床側部材の基体当止部により当止されるので、開方向への移動が規制される。よって、磁力を介さない物理的接触により扉の全開時における壁への衝突を確実に防止できる。
（２）扉を閉じる際には、扉側部材の昇降体の下端部が下方へ行くにしたがって縮径する形状であることから、扉を閉じる操作を行うと、扉側部材の昇降体は、弾性体の弾性付勢力に抗して上昇した後に下降して床側部材の乗越え凸部を乗り越えることができる。すなわち、一定以上の操作力で扉を操作することにより、１アクションで扉を閉じることができる。
（３）ドアキャッチャーの基本構成として、扉側部材は、基体、昇降体及び弾性体を備えればよく、床側部材は、乗越え凸部及び基体当止部を備えればよい。よって、部品点数が少ない簡単な構成であり、永久磁石を使用していない。
（４）以上より、永久磁石を備えたドアキャッチャーにおける永久磁石が金属製フラップを吸着する際のような接触音が無く、部品点数が少ない簡単な構成でドアキャッチャーを構成して製造コストを低減しながら、操作性を向上できる。
【図面の簡単な説明】
【００３２】
【図１】本発明の実施の形態に係るドアキャッチャーを備えた開き戸の要部拡大斜視図であり、開き戸の全開位置を示している。
【図２】本発明の実施の形態に係るドアキャッチャー単体を基体の閉方向側から見た斜視図である。
【図３】前記ドアキャッチャーの分解斜視図である。
【図４】前記ドアキャッチャーの施工手順を示す説明図であり、（ａ）は全開した扉に対して前記ドアキャッチャーを位置決めした状態を、（ｂ）は扉及び扉側部材並びに位置決め治具を閉方向へ移動させた状態で行う床面への床側部材の取付けを示している。
【図５】同じく施工手順を示す説明図であり、（ａ）は床面に固定した床側部材に上に、位置決め治具及び扉側部材をセットし、扉の開方向側面に扉側部材を仮止めした状態を、（ｂ）は扉を閉方向へ移動させた状態で行う扉への扉側部材の取付けを示している。
【図６】同じく施工手順を示す説明図であり、扉側部材の基体へのカバー体の取付け、及び床側部材への目隠しカバーの取付けを示している。
【図７】位置決め治具の斜視図である。
【図８】前記ドアキャッチャーを備えた開き戸の動作説明用部分縦断面図であり、扉を開方向へ移動させて扉側部材が床側部材に近づいている状態を示している。
【図９】同じく動作説明用部分縦断面図であり、さらに扉を開方向へ移動させて昇降体が乗越え凸部を乗り越えた状態を示している。
【図１０】同じく動作説明用部分縦断面図であり、カバー体を押し下げたロック手段の作動状態を示している。
【図１１】床側部材の変形例を示す斜視図である。
【発明を実施するための形態】
【００３３】
以下、本発明に係る実施形態を図面に基づいて説明する。
本明細書においては、開き戸の扉を開く方向を「開方向」、前記扉を閉じる方向を「閉方向」という。開方向及び閉方向（開閉方向）を「前後方向」、前後方向（開閉方向）に直交する水平方向を「左右方向」という。
開き戸の扉及びドアキャッチャーの各構成部品において、それらの開方向側に位置する部分及び面を「開方向側部分」及び「開方向側面」、それらの閉方向側に位置する部分及び面を「閉方向側部分」及び「閉方向側面」という。
【００３４】
＜開き戸＞
図１の要部拡大斜視図に示すように、本発明の実施の形態に係る開き戸Ｄは、扉１１を回動させて開口部を前後に開閉するものであり、本発明の実施の形態に係るドアキャッチャー１を備える。ドアキャッチャー１により、図１に示す扉１１の全開位置では、扉１１の開方向Ｃ１への移動が規制される。それにより、開き戸Ｄの扉１１の全開時における壁への衝突、例えばレバーハンドル等の壁への衝突を防止できる。
ドアキャッチャー１の扉側部材Ａは、扉１１の開方向Ｃ１側面１１Ｂの下端部戸先寄りに取り付けられ、ドアキャッチャー１の床側部材Ｂは床面Ｆに取り付けられる。
【００３５】
＜ドアキャッチャー＞
図１の開き戸Ｄの要部拡大斜視図、図２のドアキャッチャー１単体を基体２の閉方向Ｃ２側から見た斜視図、及び図３のドアキャッチャー１の分解斜視図、並びに図８ないし図１０の部分縦断面図を参照して、ドアキャッチャー１の構造について説明する。
【００３６】
（扉側部材）
図３の分解斜視図に示すように、扉側部材Ａは、本体部２Ａ及び扉当接部２Ｂからなる基体２、基体２により昇降可能に支持される昇降体３、昇降体３を下方へ弾性付勢する弾性体である圧縮コイルばね４、並びに、基体２により昇降可能に支持されるロック片５及びカバー体６を備える。これらの部品の材質については、例えば、基体２及び昇降体３、並びにカバー体６は合成樹脂製であり、圧縮コイルばね４及びロック片５は金属製である。
【００３７】
図２の斜視図、図３の分解斜視図、及び図８の部分縦断面図に示すように、基体２の本体部２Ａは、下面開口２Ｃ、下面開口２Ｃの上方の昇降体ガイド穴２Ｄ、昇降体ガイド穴２Ｄの上方のばね収容部２Ｆを備える。
また、基体２の本体部２Ａは、前後の係合溝２Ｅ，２Ｅ、左右のロック片ガイド穴２Ｇ，２Ｇ、開方向Ｃ１側面の左右方向中央部の係合凹部２Ｉ、係合凹部２Ｉの上方の傾斜面２Ｊを備える。
さらに、基体２の扉当接部２Ｂは、左右のカバーガイド溝２Ｈ，２Ｈ、下端部左右の当接片２Ｋ，２Ｋ、及び左右の取付穴２Ｌ，２Ｌを備える。
【００３８】
昇降体３は、円筒状の基部３Ａ、及び、下方へ行くにしたがって縮径する形状、例えば半球状を成す下端部３Ｂからなり、基部３Ａの側面の前後に係止片３Ｃ，３Ｃを、基部３Ａの上面中央部にばね収容部３Ｄを有する。
昇降体３の下端部３Ｂの形状は、下方へ行くにしたがって縮径する形状であればよく、半球状以外に、逆円錐台状、又は逆多角錐台状等であってもよい。
【００３９】
圧縮コイルばね４の下部を昇降体３のばね収容部３Ｄ内に入れ、昇降体３の周方向の位置を、前後の係合溝２Ｅ，２Ｅに前後の係止片３Ｃ，３Ｃを合わせた状態で、昇降体３を基体２の本体部２Ａの下面開口２Ｃへ下方から挿入する。それにより、圧縮コイルばね４の上部が基体２のばね収容部２Ｆ内に入り、昇降体３の前後の係止片３Ｃ，３Ｃが基体２の前後の係合溝２Ｅ，２Ｅ内に入った図８の状態になる。
この状態では、昇降体３は、基体２により昇降可能に支持されており、下端部３Ｂが基体２の下面から突出している。基体２に対して昇降体３が上昇すると、弾性体である圧縮コイルばね４を変形させて下方への弾性付勢力が生じる。
【００４０】
図３の分解斜視図、及び図１０の部分縦断面図に示すように、基体２の本体部２Ａの左右のロック片ガイド穴２Ｇ，２Ｇに、上方からロック片５の左右のスライド体５Ａ，５Ａを挿入する。それにより、ロック片５は、基体２により昇降可能に支持され、スライド体５Ａ，５Ａの下端部は、基体２の下面から出没する。
左右のスライド体５Ａ，５Ａの上端部は左右方向の連結体５Ｂにより繋がれており、連結体５Ｂの下側にカバー体６の係合片６Ｂを位置させるように、カバー体６を基体２に装着する。カバー体６の左右のスライド片６Ａ，６Ａ（図２参照）が、基体２の扉当接部２Ｂの左右のカバーガイド溝２Ｈ，２Ｈ内に係合した状態で、カバー体６は基体２に対して昇降可能であり、カバー体６の昇降に伴ってロック片５が昇降する。
【００４１】
カバー体６の内側の閉方向Ｃ２側面には係合凸部６Ｃが形成されており、図８及び図９の部分縦断面図に示す、係合凸部６Ｃが基体２の本体部２Ａの傾斜面２Ｊ上に位置する上方位置から、図１０の部分縦断面図に示す、係合凸部６Ｃが基体２の本体部２Ａの係合凹部２Ｉに係合した下方位置との間で、カバー体６を昇降させることができる。それにより、図８及び図９に示すカバー体６の上方位置では、ロック片５の左右のスライド片５Ａ，５Ａは基体２の下面から突出せず、図１０に示すカバー体６の下方位置では、ロック片５の左右のスライド片５Ａ，５Ａは基体２の下面から突出する。
【００４２】
（床側部材）
図３の分解斜視図に示すように、床側部材Ｂは、ベース板Ｅ上に一体化した、乗越え凸部７、及び一対の当止体８，８、並びに、ベース板Ｅ上に載置する目隠しカバー９を備え、ベース板Ｅに取付穴７Ｃ，７Ｃを備える。これらの部品の材質については、例えば、ベース板Ｅ、乗越え凸部７、及び一対の当止体８，８は金属製であり、目隠しカバー９は合成樹脂製である。なお、一体であるベース板Ｅ、乗越え凸部７、及び一対の当止体８，８を、所要の強度を有する合成樹脂で製作してもよい。
【００４３】
図３の分解斜視図、並びに図８及び図９の部分縦断面図に示すように、乗越え凸部７は、扉１１を開ける際に、扉１１とともに開方向Ｃ１へ移動する昇降体３が、圧縮コイルばね４の弾性付勢力に抗して上昇した後に下降して乗り越えるものである。
乗越え凸部７は、その閉方向Ｃ２側部分に、扉１１を開ける際に扉１１とともに開方向Ｃ１へ移動する昇降体３を、前記弾性付勢力に抗して徐々に上昇させる傾斜面７Ａを備える。
また、乗越え凸部７は、その開方向Ｃ１側部分に、扉１１を閉じる際に扉１１とともに閉方向Ｃ２へ移動する昇降体３を、前記弾性付勢力に抗して徐々に上昇させる傾斜面７Ｂを備える。
【００４４】
当止体８，８は、乗越え凸部７の左右（開閉方向Ｃに対する両側方）に設けられる。
当止体８，８の閉方向Ｃ２側端面８Ａ，８Ａは、図１０の部分縦断面図に示す昇降体３が乗越え凸部７を乗り越えた位置で、基体２の下端部左右の当接片２Ｋ，２Ｋを当止する。
よって、当止体８，８の閉方向Ｃ２側端面８Ａ，８Ａが、基体２の開方向Ｃ１への移動を規制するように基体２を当止する基体当止部ＳＴ１，ＳＴ１を構成する。
【００４５】
当止体８，８の開方向Ｃ１側端面８Ｂ，８Ｂは、図１０の部分縦断面図に示す昇降体３が乗越え凸部７を乗り越えた位置で、基体２の下面から突出したロック片５の左右のスライド片５Ａ，５Ａを当止する。
よって、当止体８，８の開方向Ｃ１側端面８Ｂ，８Ｂが、基体２の閉方向Ｃ２への移動を規制するように基体２を当止するロック片当止部ＳＴ２，ＳＴ２を構成する。
【００４６】
扉側部材Ａの基体２により昇降可能に支持され、基体２の下面から出没するロック片５と、基体２の下面から突出したロック片５の閉方向Ｃ２への移動を規制するようにロック片５を当止する、床側部材Ｂに備えたロック片当止部ＳＴ２，ＳＴ２とが、昇降体３が乗越え凸部７を乗り越えた位置で、扉１１の閉方向Ｃ２への移動を規制するロック手段Ｌを構成する。それによりロック手段Ｌの構成が簡単になる。
【００４７】
＜ドアキャッチャーの施工手順＞
図４ないし図６の説明図を参照して、ドアキャッチャー１の施工手順について説明する。
【００４８】
（床側部材の取付け）
図４（ａ）に示す扉１１は、その閉方向Ｃ２側面１１Ａ及び開方向Ｃ１側面１１Ｂの所要箇所にレバーハンドル等の操作部材を備える。
【００４９】
図４（ａ）に示すように、目隠しカバー９以外の床側部材Ｂを床面Ｆ上に置き、その上に図７の斜視図に示す位置決め治具１２をセットし、その上に扉側部材Ａの基体２等を、昇降体３が乗越え凸部７を乗り越えた位置にセットする。
【００５０】
図４（ａ）の状態では、基体２の閉方向Ｃ２側面に貼着した両面テープ１３には剥離紙が付いており、扉１１の開方向Ｃ１側面を基体２の閉方向Ｃ２側面に当接させ、扉１１の開方向Ｃ１側面１１Ｂに設けた前記操作部材が壁へ衝突しないように扉１１の全開位置を決定する。
【００５１】
次に、図４（ａ）の状態から扉１１を閉方向Ｃ２へ移動させるとともに、扉側部材Ａ及び位置決め治具１２を床側部材Ｂから外して離間させ、図４（ｂ）のように、ベース板Ｅの取付穴７Ｃ，７Ｃ（図３参照）から取付ねじ１０Ｂ，１０Ｂを挿入して床面Ｆに螺着し、床側部材Ｂを床面Ｆに取り付ける。
【００５２】
（扉側部材の取付け）
図５（ａ）に示すように、床面Ｆに固定した床側部材Ｂに対し、扉側部材Ａ及び位置決め治具１２を再度セットし、両面テープ１３の剥離紙を剥がして扉１１の開方向Ｃ１側面を当接させ、扉１１に扉側部材Ａを仮止めする。
【００５３】
次に、扉１１を閉方向Ｃ２へ移動させた位置で、図５（ｂ）に示すように、基体２の取付穴２Ｌ，２Ｌ（図２及び図３も参照）から取付ねじ１０Ａ，１０Ａを挿入して扉１１に螺着し、扉側部材Ａを扉１１に取り付ける。
【００５４】
（カバー体、目隠しカバーの取り付け）
図６に示すように、扉側部材Ａの基体２に対してロック片５を上昇させた位置で、カバー体６を基体２に装着し、図１の状態にする。
また、図６に示すように、床側部材Ｂから位置決め治具１２を外し、目隠しカバー９をベース板Ｅ上に載置し、図１及び図２に示す状態にする。
【００５５】
＜ドアキャッチャーの動作＞
図８ないし図１０の部分縦断面図を参照して、ドアキャッチャー１の動作について説明する。
【００５６】
（扉を開ける際の動作）
図８の白抜き矢印のように扉１１を開方向Ｃ１へ移動させて扉側部材Ａを床側部材Ｂに近づけ、扉１１をさらに開方向Ｃ１へ移動させると、扉側部材Ａの昇降体３の下端部３Ｂが床側部材Ｂの目隠し板９に当接して昇降体３は若干上昇する。
扉１１をさらに開方向Ｃ１へ移動させると、昇降体３の下端部３Ｂは、床側部材Ｂの乗越え凸部７の閉方向Ｃ２側部分の傾斜面７Ａに当接する。
扉１１をさらに開方向Ｃ１へ移動させると、昇降体３は、圧縮コイルばね４を圧縮させながら傾斜面７Ａに沿って徐々に上昇し、乗越え凸部７を乗り越えて下降し、図９の状態になる。
【００５７】
扉１１を開ける際に、扉側部材Ａの昇降体３の下端部３Ｂが、床側部材Ｂの乗越え凸部７の傾斜面７Ａに沿って徐々に上昇することから、圧縮コイルばね４の弾性付勢力も徐々に大きくなる。それにより、扉１１を開ける操作に伴って、扉側部材Ａの昇降体３が前記弾性付勢力に抗して上昇した後に下降して床側部材Ｂの乗越え凸部７を乗り越える動作がスムーズになるので、扉１１を開ける操作をスムーズに行うことができる。
【００５８】
図９のように扉側部材Ａの昇降体３が床側部材Ｂの乗越え凸部７を乗り越えた位置では、基体２の左右の当接片２Ｋ，２Ｋが、基体当止部ＳＴ１，ＳＴ１である左右の当接体８，８の閉方向Ｃ２側端面８Ａ，８Ａに当止される（図３及び図１０も参照）。
よって、磁力を介さない物理的接触により扉１１の全開時における壁への衝突を確実に防止できる。
【００５９】
図９のように扉側部材Ａの昇降体３が床側部材Ｂの乗越え凸部７を乗り越えた位置において、扉１１を閉方向Ｃ２へ移動させるためには、扉側部材Ａの昇降体３が床側部材Ｂの乗越え凸部７を乗り越える必要がある。扉側部材Ａの昇降体３が床側部材Ｂの乗越え凸部７を乗り越えるためには、圧縮コイルばね４を変形させて昇降体３を上昇させる必要があり、それにより下方への弾性付勢力が作用するため、扉１１を全開した状態を安定保持できる。
【００６０】
（扉を閉じる際の動作）
図９のように扉側部材Ａの昇降体３が床側部材Ｂの乗越え凸部７を乗り越えた位置から、扉１１を閉じる際には、扉側部材Ａの昇降体３の下端部３Ｂが下方へ行くにしたがって縮径する形状であることから、扉１１を閉じる操作を行って扉１１を閉方向Ｃ２へ移動させると、扉側部材Ａの昇降体３は、圧縮コイルばね４の弾性付勢力に抗して上昇した後に下降して床側部材Ｂの乗越え凸部７を乗り越えることができる。すなわち、一定以上の操作力で扉１１を操作することにより、１アクションで扉を閉じることができる。
【００６１】
このように扉１１を閉じる際に、扉側部材Ａの昇降体３の下端部３Ｂは、床側部材Ｂの乗越え凸部７の開方向Ｃ１側部分の傾斜面７Ｂに沿って徐々に上昇することから、圧縮コイルばね４の弾性付勢力も徐々に大きくなる。それにより、扉１１を閉じる操作に伴って、扉側部材Ａの昇降体３が圧縮コイルばね４の弾性付勢力に抗して上昇した後に下降して床側部材Ｂの乗越え凸部７を乗り越える動作がスムーズになるので、扉１１を閉じる操作をスムーズに行うことができる。
【００６２】
（ドアキャッチャーの基本的な作用効果）
ドアキャッチャー１の基本構成として、扉側部材Ａは、基体２、昇降体３及び弾性体（例えば、圧縮コイルばね４）を備えればよく、床側部材Ｂは、乗越え凸部７及び基体当止部ＳＴ１（例えば、当止体８の閉方向Ｃ２側端面８Ａ）を備えればよい。それにより、部品点数が少ない簡単な構成であり、永久磁石を使用していない。
よって、永久磁石を備えたドアキャッチャーにおける永久磁石が金属製フラップを吸着する際のような接触音が無く、部品点数が少ない簡単な構成でドアキャッチャー１を構成して製造コストを低減しながら、前記のように１アクションで扉１１を閉じることができる機能により操作性を向上できる。
【００６３】
（ロック手段の動作）
図９の状態で白抜き矢印のようにカバー体６を押し下げると、図１０のようにロック片５のスライド片５Ａ，５Ａが基体２の下面から突出し、ロック片５Ａ，５Ａの下端部が、当止体８，８の開方向Ｃ１側端面８Ｂ，８Ｂ（ロック片当止部ＳＴ２，ＳＴ２）に当止される（図３も参照）。
【００６４】
それにより、図９及び図１０のように扉側部材Ａの昇降体３が床側部材Ｂの乗越え凸部７を乗り越えた位置で、扉側部材Ａの基体２が床側部材Ａの基体当止部ＳＴ１，ＳＴ１に当止されて開方向Ｃ１への移動が規制されている扉１１に対し、さらにロック手段Ｌにより扉１１の閉方向Ｃ２への移動を規制する。
よって、子供や老人等による不用意な操作があったり、不意に外力が掛かっても、扉１１を全開した所定位置で確実に固定できる。
【００６５】
床側部材Ｂの乗越え凸部７の左右に設けた一対の当止体８，８の閉方向Ｃ２側端面８Ａ，８Ａを基体当止部ＳＴ１，ＳＴ１とし、一対の当止体８，８の開方向Ｃ１側端面８Ｂ，８Ｂをロック片当止部ＳＴ２，２Ｔ２としており、同一の当止体８に設けた閉方向Ｃ２側端面８Ａ及び開方向Ｃ１側端面８Ｂを、基体当止部ＳＴ１及びロック片当止部ＳＴ２としている。それにより、ロック手段Ｌを設ける構成がより簡単になるので、ロック手段Ｌを備えたドアキャッチャー１の製造コストを低減できる。
【００６６】
扉側部材Ａの基体２を被うカバー体６をロック片５に連動させており、ロック手段Ｌとして機能するように、カバー体６を基体２により昇降可能に支持している。
それにより、カバー体６を押し下げると、スライド片５Ａ，５Ａの下端部が基体２の下面から突出してロック手段Ｌの作動状態となり、カバー体６を引き上げると、スライド片５Ａ，５Ａも上昇して前記作動状態が解除されるので、ロック手段Ｌの操作性を向上できる。
【００６７】
＜床側部材の変形例＞
床側部材Ｂは、図１１の斜視図に示すようなベース板Ｅや目隠しカバー９を備えないものであってもよい。
図１１の床側部材Ｂは、乗越え凸部７及び当止体８のみを備え、当止体８に設けた取付穴８Ｃ，８Ｃを用いて床面Ｆに固定する。
このような床側部材Ｂにより、ドアキャッチャー１の製造コストを一層低減できる。
【００６８】
以上の実施の形態の記載はすべて例示であり、これに制限されるものではない。本発明の範囲から逸脱することなく種々の改良及び変更を施すことができる。
【符号の説明】
【００６９】
１  ドアキャッチャー                    ２  基体
２Ａ  本体部                            ２Ｂ  扉当接部
２Ｃ  下面開口                          ２Ｄ  昇降体ガイド穴
２Ｅ  係合溝                            ２Ｆ  ばね収容部
２Ｇ  ロック片ガイド穴                  ２Ｈ  カバーガイド溝
２Ｉ  係合凹部                          ２Ｊ  傾斜面
２Ｋ  当接片                            ２Ｌ  取付穴
３  昇降体                              ３Ａ  基部
３Ｂ  下端部                            ３Ｃ  係止片
３Ｄ  ばね収容部                        ４  圧縮コイルばね（弾性体）
５  ロック片                            ５Ａ  スライド体
５Ｂ  連結体                            ６  カバー体
６Ａ  スライド片                        ６Ｂ  係合片
６Ｃ  係合凸部                          ７  乗越え凸部
７Ａ  閉方向側部分の傾斜面              ７Ｂ  開方向側部分の傾斜面
７Ｃ  取付穴                            ８  当止体
８Ａ  閉方向側端面                      ８Ｂ  開方向側端面
８Ｃ  取付穴                            ９  目隠しカバー
１０Ａ，１０Ｂ  取付ねじ                １１  扉
１１Ａ  閉方向側面                      １１Ｂ  開方向側面
１２  位置決め治具                      １３  両面テープ
Ａ  扉側部材                            Ｂ  床側部材
Ｃ  開閉方向                            Ｃ１  開方向
Ｃ２  閉方向                            Ｄ  開き戸
Ｅ  ベース板                            Ｆ  床面
Ｌ  ロック手段                          ＳＴ１  基体当止部
ＳＴ２  ロック片当止部
【図１】
2020090873.tif 000003
【図２】
2020090873.tif 000004
【図３】
2020090873.tif 000005
【図４】
2020090873.tif 000006
【図５】
2020090873.tif 000007
【図６】
2020090873.tif 000008
【図７】
2020090873.tif 000009
【図８】
2020090873.tif 000010
【図９】
2020090873.tif 000011
【図１０】
2020090873.tif 000012
【図１１】
2020090873.tif 000013